(57)【特許請求の範囲】
【請求項１】
支持台に立設された細長い筒状のカバーに収容され、アクセスポイントとして動作するアンテナ装置であって、
前記カバーの長手方向に沿い前記筒状部に直線状に配置された単一の漏洩同軸ケーブルと、
前記カバーの下端側に設けられ、前記漏洩同軸ケーブルを送受信アンテナとして無線通信用の高周波信号を送受信する無線回路と、
前記カバーの下端側に設けられ、外部電源により得られる直流電圧と前記無線回路から出力される高周波信号とを重畳し、これにより得た伝送信号を前記漏洩同軸ケーブルの下端部に供給する重畳回路と、
前記漏洩同軸ケーブルの上端部に接続され、前記漏洩同軸ケーブルで伝送された前記伝送信号から前記高周波信号と前記直流電圧とを分離する分離回路と、
前記分離回路が分離した前記高周波信号を終端する終端器と、
前記漏洩同軸ケーブルの上端部の近傍に配置され、前記分離回路が分離した前記直流電圧によって動作する電気デバイスと、
を具備したアンテナ装置。
【請求項２】
前記カバーの上端側に通気孔を設け、前記通気孔の近傍に前記電気デバイスを設けた請求項１に記載のアンテナ装置。
【請求項３】
前記電気デバイスは、前記無線回路の動作状態を表示するインジケータ、任意の画像を表示する表示器、芳香発生器、イオン発生器の少なくともいずれかを含む複数のデバイスを有している請求項２に記載のアンテナ装置。
【請求項４】
人間の近接を検出する人感センサと、
前記人感センサにより前記近接が検出されていないときには前記重畳回路への前記直流電圧の入力を遮断するスイッチとをさらに具備する請求項１乃至請求項３のいずれか一項に記載のアンテナ装置。
【請求項５】
前記重畳回路は、前記高周波信号が前記直流電圧の供給側に流れるのを防止する第１の防止手段と、前記直流電圧が前記高周波信号の供給側に流れるのを防止する第２の防止手段とを含む請求項１に記載のアンテナ装置。
【請求項６】
前記重畳回路は、前記第１の防止手段としてのインダクタの一端と、前記第２の防止手段としてのキャパシタの一端とを接続した回路である請求項５に記載のアンテナ装置。
【発明の詳細な説明】
【技術分野】
【０００１】
本発明の実施形態は、アクセスポイントとして動作するアンテナ装置に関する。
【背景技術】
【０００２】
漏洩同軸ケーブルを空中線として使用するアンテナ装置または無線通信機では、漏洩同軸ケーブルの両端近傍に分散して電気デバイスが配置される場合、漏洩同軸ケーブルと、上記の電気デバイスに動作電圧を供給するための電源ケーブルとをそれぞれ設けている。
【先行技術文献】
【特許文献】
【０００３】
【特許文献１】特開２００５−２３６７４５号公報
【発明の概要】
【発明が解決しようとする課題】
【０００４】
漏洩同軸ケーブルと電源ケーブルとを並列させてカバー内に収容した場合、カバー内が煩雑になる。
【０００５】
このような事情から、ケーブル数の削減が望まれていた。
【課題を解決するための手段】
【０００６】
実施形態のアンテナ装置は、支持台に立設された細長い筒状のカバーに収容され、アクセスポイントとして動作するアンテナ装置であって、前記カバーの長手方向に沿い前記筒状部に直線状に配置された単一の漏洩同軸ケーブルと、前記カバーの下端側に設けられ、前記漏洩同軸ケーブルを送受信アンテナとして無線通信用の高周波信号を送受信する無線回路と、前記カバーの下端側に設けられ、外部電源により得られる直流電圧と前記無線回路から出力される高周波信号とを重畳し、これにより得た伝送信号を前記漏洩同軸ケーブルの下端部に供給する重畳回路と、前記漏洩同軸ケーブルの上端部に接続され、前記漏洩同軸ケーブルで伝送された前記伝送信号から前記高周波信号と前記直流電圧とを分離する分離回路と、前記分離回路が分離した前記高周波信号を終端する終端器と、前記漏洩同軸ケーブルの上端部の近傍に配置され、前記分離回路が分離した前記直流電圧によって動作する電気デバイスとを具備する。
【図面の簡単な説明】
【０００７】
【図１】一実施形態に係る無線通信機の斜視図。
【図２】一実施形態に係る無線通信機の一部断面図。
【発明を実施するための形態】
【０００８】
以下実施の形態の一例を図面を用いて説明する。
【０００９】
図１は本実施形態に係る無線通信機１の斜視図である。
【００１０】
無線通信機１は、カバー１１および支持台１２を含む。
【００１１】
カバー１１は、細長い円筒状をなす。カバー１１は、その一端側に、発光窓１１ａ、通気孔群１１ｂおよび表示窓１１ｃをそれぞれ有する。カバー１１は、その他端側にセンサ窓１１ｄを有する。発光窓１１ａは、光を透過する。通気孔群１１ｂは、空気を通す複数の開口を配列したものである。表示窓１１ｃは、透明な窓である。センサ窓１１ｄは、赤外線を透過する。なお、発光窓１１ａ、通気孔群１１ｂ、表示窓１１ｃおよびセンサ窓１１ｄの位置および形状は、それぞれ任意に変更が可能である。
【００１２】
支持台１２は、底面が平坦であり、この底面が無線通信機１の設置場所における床面に接する。支持台１２は、カバー１１の長手方向が支持台１２の底面にほぼ直交する方向に向くようにカバー１１のセンサ窓１１ｄが設けられた側の端部を保持する。
【００１３】
図２は無線通信機１の一部断面図である。なお、図２においては、図１に示されるのと同一の部分には同一の符号を付している。
【００１４】
図２は、カバー１１および支持台１２を破断して示す。図２に示すように、カバー１１は中空である。ただし図２においては、発光窓１１ａ、通気孔群１１ｂ、表示窓１１ｃおよびセンサ窓１１ｄの図示は省略している。またカバー１１は、その内部に配置されるデバイスを支持するための構造を持つが、それらの図示は省略している。
【００１５】
無線通信機１は、カバー１１および支持台１２に加えて、漏洩同軸（ＬＣＸ）ケーブル１３、無線回路１４、バイアス・ティー１５，１６、終端器１７、ＬＥＤインジケータ１８、アロマ・ディフューザ１９、ピコイオン発生器２０、表示器２１、人感センサ２２および電源スイッチ２３を含む。これらの各デバイスは、カバー１１の内部空間に配置される。なお、図２においては、カバー１１内における各デバイスの大まかな位置と電気的な接続状態とを模式的に表している。
【００１６】
ＬＣＸケーブル１３は、一端から供給された高周波信号を他端に向けて伝送するとともに、この高周波信号のエネルギの一部を中間部に設けられたスロットから電波として放射する。またＬＣＸケーブル１３は、周囲の電磁波に応じて生じる高周波信号を伝送する。ＬＣＸケーブル１３は、カバー１１の長手方向に沿って、ほぼ直線状で配置される。
【００１７】
無線回路１４は、ＬＡＮ（local area network）回線などの通信回線２に接続される。無線回路１４は、通信回線２を介して送られてくる伝送データをＬＣＸケーブル１３から無線送信するための高周波信号を生成する。また無線回路１４は、ＬＣＸケーブル１３で生じた高周波信号から伝送データを抽出して通信回線２へと送出する。無線回路１４は、ＡＣアダプタ３がＡＣ電源から生成した直流電圧が電源スイッチ２３を介して供給され、この直流電圧を動作電圧として動作する。
【００１８】
バイアス・ティー１５は、キャパシタ１５ａとインダクタ１５ｂとを含む。キャパシタ１５ａの一端、インダクタ１５ｂの一端およびＬＣＸケーブル１３の第１の端部が互いに接続されている。キャパシタ１５ａの他端は、無線回路１４の高周波信号の入出力端子に接続される。インダクタ１５ｂの他端には、ＡＣアダプタ３が出力する直流電圧が電源スイッチ２３を介して供給される。
【００１９】
バイアス・ティー１６は、キャパシタ１６ａとインダクタ１６ｂとを含む。キャパシタ１６ａの一端、インダクタ１６ｂの一端およびＬＣＸケーブル１３の第２の端部が互いに接続されている。キャパシタ１６ａの他端は、終端器１７に接続される。インダクタ１６ｂの他端は、ＬＥＤインジケータ１８、アロマ・ディフューザ１９、ピコイオン発生器２０および表示器２１のそれぞれの電源端子に接続される。
【００２０】
終端器１７は、典型的には電気抵抗器であり、ＬＣＸケーブル１３の第２の端部のインピーダンスを整合し、第２の端部における高周波信号の反射を抑える。
【００２１】
ＬＥＤインジケータ１８は、ＬＥＤ（light emitting diode）を発光源として含み、そのＬＥＤが発した光が発光窓１１ａよりカバー１１の外部へと出射されるように配置される。ＬＥＤインジケータ１８は、発光状態を変化させることで、無線通信機１の動作状態などを表示する。
【００２２】
アロマ・ディフューザ１９は、芳香をもつ化合物を発生する。
【００２３】
ピコイオン発生器２０は、微細なイオンを発生する。
【００２４】
アロマ・ディフューザ１９は発生した化合物およびピコイオン発生器２０が発生したイオンを含む空気は、通気孔群１１ｂを介してカバー１１の外部へと放出される。
【００２５】
表示器２１は、任意の画像、動画、文字などを表示する。表示器２１は、その表示面を表示窓１１ｃに向けて配置され、表示した画像、動画、文字などを表示窓１１ｃを介してカバー１１の外部から目視できる。表示器２１としては、液晶表示デバイス（ＬＣＤ）などの周知の表示デバイスが利用できる。
【００２６】
人感センサ２２は、赤外線を利用して無線通信機１に近接して存在する人間を検出する。人感センサ２２は、人間を検出しているか否かを表す検出信号を出力する。人感センサ２２は、赤外線以外の例えば超音波などを利用して人間を検出するデバイスにて代替することも可能である。
【００２７】
電源スイッチ２３は、人感センサ２２が出力する検出信号に応じてオン・オフする。
【００２８】
次に以上のように構成された無線通信機１の動作について説明する。
【００２９】
無線通信機１に人間が近づき、それを人感センサ２２が検出すると、電源スイッチ２３がオンとなる。これにより、ＡＣアダプタ３が出力する直流電圧が無線回路１４に供給されるようになり、無線回路１４が動作する。
【００３０】
無線回路１４が入出力端子から出力する高周波信号は、キャパシタ１５ａを通過するが、インダクタ１５ｂは通過しない。一方でＡＣアダプタ３が出力する直流電圧は、インダクタ１５ｂを通過するが、キャパシタ１５ａは通過しない。かくして、高周波信号に直流電圧が重畳された伝送信号がバイアス・ティー１５によって生成される。つまり、バイアス・ティー１５は、重畳回路として機能する。
【００３１】
ＬＣＸケーブル１３は、バイアス・ティー１５から第１の端部へと伝送信号が供給されると、この伝送信号を第２の端部に向けて伝送するとともに、伝送信号に含まれる高周波信号のエネルギの一部を電波として放射する。なお、伝送信号に含まれる高周波信号のうちの電波として放射されなかったものは、バイアス・ティー１６においてキャパシタ１６ａを通過し、終端器１７によって終端される。一方で、ＬＣＸケーブル１３の周囲の電磁波によりＬＣＸケーブル１３に生じた高周波信号は、バイアス・ティー１５においてキャパシタ１５ａを通過し、無線回路１４の入出力端子に与えられる。かくして、無線通信機１の近くに存在する無線端末は、無線通信機１を介して通信回線２にアクセスできる。つまり無線通信機１は、無線アクセスポイントとして動作する。
【００３２】
一方、伝送信号に含まれる直流電圧は、バイアス・ティー１６においてインダクタ１６ｂを通過し、ＬＥＤインジケータ１８、アロマ・ディフューザ１９、ピコイオン発生器２０および表示器２１の電源端子に供給される。かくしてＬＥＤインジケータ１８、アロマ・ディフューザ１９、ピコイオン発生器２０および表示器２１に動作電圧が供給されることになり、これらの各部が動作する。このように、バイアス・ティー１６は、伝送信号から高周波信号と直流電圧とを分離しており、分離回路として動作する。
【００３３】
そして、高周波信号はインダクタ１５ｂ，１６ｂによって阻止され、無線回路１４、ＬＥＤインジケータ１８、アロマ・ディフューザ１９、ピコイオン発生器２０および表示器２１の電源端子と、ＡＣアダプタ３の出力端子とには与えられない。従って、無線回路１４、ＬＥＤインジケータ１８、アロマ・ディフューザ１９、ピコイオン発生器２０および表示器２１への供給電圧は一定に維持されて、高周波信号に起因する電源変動により異常動作が生じることがない。また、ＡＣアダプタ３の出力端子へと高周波信号が入力されてしまうことがなく、高周波信号に起因する障害をＡＣアダプタ３に生じさせてしまうことがない。
【００３４】
以上のように無線通信機１によれば、ＬＥＤインジケータ１８、アロマ・ディフューザ１９、ピコイオン発生器２０および表示器２１などの電気デバイスに動作電圧を供給するための電源ケーブルをＬＣＸケーブル１３に並行して設けておらず、そのような電源ケーブルを設ける場合に比べてカバー１１の内部空間を整然とすることが可能である。
【００３５】
また無線通信機１では、ＬＣＸケーブル１３、バイアス・ティー１６および終端器１７はカバー１１により覆われている。従って、これらのデバイスに対する何らかの改変は困難であり、違法な改造が防止できる。
【００３６】
また無線通信機１では、無線通信機１の近辺に人間が存在しないときにはバイアス・ティー１５への直流電圧の供給を停止するので、電力消費量を低減することができる。そして本実施形態においては、ＬＥＤインジケータ１８、アロマ・ディフューザ１９、ピコイオン発生器２０および表示器２１はいずれも無線通信機１に近接している人間に対するサービスを提供するデバイスであるから、そのようなサービス対象となる人間が存在しない状態においては、動作を停止しても何ら問題ない。
【００３７】
この実施形態は、次のような種々の変形実施が可能である。
【００３８】
無線回路１４を備えないアンテナ装置として実現することも可能である。
【００３９】
バイアス・ティー１６により分離された直流電圧を動作電圧とする電気デバイスは、ＬＥＤインジケータ１８、アロマ・ディフューザ１９、ピコイオン発生器２０および表示器２１の一部を含まなくても良いし、それらのデバイス以外の種々のデバイスを含んでも良い。つまり、バイアス・ティー１６により分離された直流電圧を動作電圧とする電気デバイスとしては、ＬＥＤインジケータ１８、アロマ・ディフューザ１９、ピコイオン発生器２０および表示器２１と、それ以外の種々のデバイスとのうちの少なくとも１つを含んでいれば良い。
【００４０】
無線回路１４へは、電源スイッチ２３を介さずに直流電圧を供給しても良い。
【００４１】
人感センサ２２および電源スイッチ２３は、無線通信機１に設けなくても良い。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１…無線通信機、２…通信回線、３…ＡＣアダプタ、１１…カバー、１１ａ…発光窓、１１ｂ…通気孔群、１１ｃ…表示窓、１１ｄ…センサ窓、１２…支持台、１３…漏洩同軸（ＬＣＸ）ケーブル、１４…無線回路、１５，１６…バイアス・ティー、１５ａ，１６ａ…キャパシタ、１５ｂ，１６ｂ…インダクタ、１７…終端器、１８…ＬＥＤインジケータ、１９…アロマ・ディフューザ、２０…ピコイオン発生器、２１…表示器、２２…人感センサ、２３…電源スイッチ。
【図１】
0005331853.tif 000002
【図２】
0005331853.tif 000003